(57)【要約】【課題】  燃料電池をカメラに収納したまま燃料補給を簡単に行うことが可能な燃料電池を用いたカメラを提供する。【解決手段】  燃料電池105 をカメラ本体101 の底面部より挿入して収納部に収納し、燃料電池の透過部105aと燃料注入口105bを設けた筐体部分を、開閉可能なカード蓋115 で保護されるメモリカード格納挿入口116 の隣接部分に、直接表出するように配置し、カード蓋を閉じることにより、メモリカード格納挿入口と共に燃料電池の透過部及び燃料注入口も、カード蓋により同時に覆い隠されるように構成する。【選択図】        図９
2008107833.tif 000002
【特許請求の範囲】
【請求項１】
燃料液を内蔵する燃料電池を電源として使用するカメラにおいて、前記燃料液を補給するための注入口が設けられた燃料電池をカメラ内部に使用可能に収納する電池収納部と、前記電池収納部に収納される燃料電池の当該注入口に対応する位置に設けられた注入用開口と、前記注入用開口を保護する蓋が備えられていることを特徴とするカメラ。
【請求項２】
前記注入用開口は、カメラの底面部に備えられていることを特徴とする請求項１に係るカメラ。
【請求項３】
前記電池収納部は前記燃料液の確認のために透過部が形成された燃料電池を収納し、当該燃料電池が前記電池収納部に収納された状態での前記燃料電池の透過部に対応する位置に残量確認窓が備えられていることを特徴とする請求項１に係るカメラ。
【請求項４】
前記蓋は、更に前記残量確認窓を保護することを特徴とする請求項３に係るカメラ。
【請求項５】
前記残量確認窓及び前記注入用開口は、カメラ底面部に備えられていることを特徴とする請求項３又は４に係るカメラ。
【請求項６】
前記残量確認窓は、当該残量確認窓の長手方向がカメラ底面部に対して垂直になるように配置されていることを特徴とする請求項３又は４に係るカメラ。
【請求項７】
前記注入用開口は、カメラの側面部に備えられていることを特徴とする請求項３又は４に係るカメラ。
【請求項８】
前記注入用開口は、カメラのグリップされる側の側面部に備えられていることを特徴とする請求項３又は４に係るカメラ。
【請求項９】
前記蓋は、前記注入用開口と共に撮影画像記録用の記録媒体を格納する媒体格納部を保護することを特徴とする請求項１又は３又は４のいずれか１項に係るカメラ。
【発明の詳細な説明】
【技術分野】
【０００１】
この発明は、燃料液を内蔵する燃料電池を電源として用いたカメラに関する。
【背景技術】
【０００２】
従来、カメラ等の携帯機器の電源としては、一般にマンガン電池やリチウム電池などの一次電池やニッケル・カドミウム電池などの二次電池が用いられている。一方、燃料電池は、従来のリチウム電池などに比べて重量当たりのエネルギーが高いので、カメラ等の携帯機器への搭載に向けて、その開発が進んでいる。
【０００３】
燃料電池の基本構成は、電解質を挟んだ一対の電極（セル部）と、電極間を結ぶ外部負荷回路からなり、一方の電極には水素又は水素を含む燃料が供給されて水素イオン（Ｈ+ ）と電子（ｅ- ）を発生させ、他方の電極には酸素（空気）が供給されるようになっており、燃料が供給される電極は燃料極（アノード）、酸素が供給される電極は空気極（カソード）と呼ばれている。
【０００４】
このような基本構成をもつ燃料電池には複数の方式があるが、燃料としてメタノールを使用するタイプは、直接水素を用いる方式のものに比べて安全といわれており、したがって、カメラのような民生用携帯機器の電源用電池としては、メタノールを使用する燃料電池が有望と考えられている。
【０００５】
メタノールを用いる方式の燃料電池は、メタノールを水素に改質せず直接セル部に供給して反応させるものである。すなわち、燃料極では供給されたメタノールが水と反応して酸化され、ＣＯ2 とＨ+ イオンと電子が生成される。Ｈ+ イオンは電解質を通って空気極に到達する。空気極では、空気中のＯ2 がＨ+ イオン及び外部負荷回路を通して来た電子と結合して還元され水を生成する。その過程で外部負荷回路に電子が流れて、電流を取り出せるようになっている。
【発明の開示】
【発明が解決しようとする課題】
【０００６】
ところで、一般に電池を電源として用いている携帯機器では、電池残量管理が重要である。消費電力の大きい機器では特に重要である。例えばデジタルカメラでは、表示部に電池の残量表示を随時行い、残量がなくなりそうな場合には事前に警告を出して、電池を交換するように注意を促すような制御がされている。突然に撮影ができなくなるのは、非常に使い勝手が悪いからである。
【０００７】
現在のデジタルカメラでは、マンガンやリチウム電池を使用しているが、カメラの電源部で電池の出力電圧を計測し、その値で残量を推定して管理している。燃料電池が搭載された場合でも、電池の容量は有限であるので、マンガンやリチウム電池とは異質の構成をもつ燃料電池では、従来とは異なる電池の管理が必要になる。
【０００８】
本発明は、上記問題点を解消するためになされたもので、燃料電池を使用するカメラにおいて、燃料電池をカメラに収納したまま燃料補給を簡単に行えることのできるカメラを提供することを目的とする。
【課題を解決するための手段】
【０００９】
上記問題点を解決するため、請求項１に係る発明は、燃料液を内蔵する燃料電池を電源として使用するカメラにおいて、前記燃料液を補給するための注入口が設けられた燃料電池をカメラ内部に使用可能に収納する電池収納部と、前記電池収納部に収納される燃料電池の当該注入口に対応する位置に設けられた注入用開口と、前記注入用開口を保護する蓋が備えられていることを特徴とするものである。
【００１０】
請求項２に係る発明は、請求項１に係るカメラにおいて、前記注入用開口は、カメラの底面部に備えられていることを特徴とするものである。
【００１１】
請求項３に係る発明は、請求項１に係るカメラにおいて、前記電池収納部は前記燃料液の確認のために透過部が形成された燃料電池を収納し、当該燃料電池が前記電池収納部に収納された状態での前記燃料電池の透過部に対応する位置に残量確認窓が備えられていることを特徴とするものである。
【００１２】
請求項４に係る発明は、請求項３に係るカメラにおいて、前記蓋は、更に前記残量確認窓を保護することを特徴とするものである。
【００１３】
請求項５に係る発明は、請求項３又は４に係るカメラにおいて、前記残量確認窓及び前記注入用開口は、カメラの底面部に備えられていることを特徴とするものである。
【００１４】
請求項６に係る発明は、請求項３又は４に係るカメラにおいて、前記残量確認窓は、当該残量確認窓の長手方向がカメラ底面部に対して垂直になるように配置されていることを特徴とするものである。
【００１５】
請求項７に係る発明は、請求項３又は４に係るカメラにおいて、前記注入用開口は、カメラの側面部に備えられていることを特徴とするものである。
【００１６】
請求項８に係る発明は、請求項３又は４に係るカメラにおいて、前記注入用開口は、カメラのグリップされる側の側面部に備えられていることを特徴とするものである。
【００１７】
請求項９に係る発明は、請求項１又は３又は４のいずれか１項に係るカメラにおいて、前記蓋は、前記注入用開口と共に撮影画像記録用の記録媒体を格納する媒体格納部を保護することを特徴とするものである。
【発明の効果】
【００１８】
請求項１に係る発明によれば、燃料電池をカメラに収納したまま燃料を補給することができ、且つ燃料注入用開口を蓋で外部より保護することができ、またデザイン的に支障の少ないカメラを実現することができる。また請求項２に係る発明によれば、カメラ底面部は他の操作部材の配置されにくい部分なので、カメラ底面部は通常の使用又は携帯態様において隠れる部分となるため、デザイン的にも支障となることが少ない。また請求項３に係る発明によれば、燃料電池をカメラより取り出さなくても、透過部と残量確認窓を介してカメラの外部より電池残量を、カメラ使用中でも容易に確認することが可能となる。また請求項４に係る発明によれば、残量確認窓が確実に保護される。また請求項５に係る発明によれば、カメラ底面部は他の操作部材の配置されにくい部分なので、カメラ底面部は通常の使用又は携帯態様において隠れる部分となるため、デザイン的にも支障となることが少ない。また請求項６に係る発明によれば、燃料液残量を容易に確認することができる。また請求項７に係る発明によれば、カメラの側面部を有効に利用して電池残量を容易に確認することができる。また請求項８に係る発明によれば、カメラ側面部を有効に利用することができると共に、燃料電池がカメラのグリップ側に配置され、重量のバランスのよいカメラを構成することができる。また請求項９に係る発明によれば、デザイン的にも支障なく注入用開口と共に媒体格納部を保護することができる。
【発明を実施するための最良の形態】
【００１９】
次に、本発明を実施するための最良の形態について説明する。
【実施例】
【００２０】
次に、実施例について説明する。まず、本発明に係るカメラに交換可能にあるいは固定的に収納される燃料電池の構成例について説明する。図１は、燃料電池の第１の構成例を示す概略斜視図である。図１において、１は燃料電池筐体で、該筐体１の内部上部には、電解質を挟んだ燃料極と空気極とからなるセル部（図示せず）が配置されており、筐体内部の中央部から下部にかけての部分には、メチルアルコールなどの燃料液２が充填内蔵されている。そして、筐体１の一部に透過部３が設けられていて、筐体１内に充填内蔵されている燃料液の量が目視確認できるようになっており、この図示例では透過部３には更に目盛りが付されている。なお、図１において、４，５は燃料極及び空気極に接続された端子部であり、６は燃料液を補給するためのバルブを備えた燃料注入口である。
【００２１】
図２は、燃料電池の第２の構成例を示す概略斜視図である。この構成例における燃料電池筐体11の燃料液の充填内蔵部12の側壁部分は透明部材で構成されていて、充填内蔵部12に内蔵されている燃料液13の量を目視確認できるようになっている。筐体11の上部14には、第１の構成例と同様にセル部が配置されている。更に筐体11の上板15及び下板16には、内蔵燃料液13の量を光学的に検出するための上部透過窓17及び下部透過窓18がそれぞれ形成されている。なお、図２において、19は燃料液13を筐体上部14に配置されているセル部へ供給するための燃料吸収部材であり、この燃料吸収部材は図１に示した構成例においても、図示は省略されているが備えているものである。また20，21は燃料極及び空気極に接続された端子部であり、22は燃料液の充填内蔵部13へ燃料液を補給するための燃料注入口である。
【００２２】
次に、本発明に係るカメラの実施例の説明に先立ち、本発明に係るカメラに関連する第１の参照例を図３の概略斜視図に基づいて説明する。図３において、101 はカメラ本体、102 はレリーズボタン、103 は撮影レンズ、104 はカメラ本体101 の底面部の一部に開口部を有する燃料電池収納部、105 は該燃料電池収納部104 に収納された図１に示した構成の、内蔵燃料液の量の確認用透過部105aを有する燃料電池、106 は収納部104 に収納された燃料電池105 を収納保持し保護するための蓋部である。そして、本参照例においては、カメラ本体101 の撮影レンズ103 が配置されているカメラ前面部において、収納部104 に収納された燃料電池105 の透過部105aに対応する位置に、カメラ外部から燃料電池105 の燃料液の残量を確認するための残量確認窓107 が設けられている。
【００２３】
このように構成したカメラにおいては、燃料電池105 を底面側より収納部104 に挿入配置し、蓋部106 で保持するようにしているので、燃料電池105 をカメラ内部に確実に保持することができ、また燃料電池105 の透過部105aに対応するように残量確認窓107 を設けているので、燃料電池105 をカメラ本体101 より取り出さなくても、カメラ外部より燃料電池105 の燃料残量を、カメラ使用中においても容易に確認することができる。またカメラの前面部は通常の操作部が配置されない部分なので、残量確認窓107 を操作部の制約を受けずに容易に配置することができる。
【００２４】
次に、本発明に関連する第２の参照例について説明する。図４は第２の参照例に係るカメラの背面からの概略斜視図で、図３に示した第１の参照例と対応する部材には同一符号を付して示している。この参照例は、図３に示した第１の参照例と同様に、燃料電池105 はカメラ本体101 の底面側より収納部104 に挿入し蓋部106 で収納保持するものであるが、残量確認窓107 はカメラ本体101 の背面側に、収納した燃料電池105 の透過部105aに対応させて設けているものである。なお、図４において、108 は撮影画像等を表示するＴＦＴ液晶表示部で、109 は入力操作ボタンである。
【００２５】
次に、本発明に関連する第３の参照例について説明する。図５は第３の参照例を示す概略斜視図で、図３に示した第１の参照例と対応する部材には同一符号を付して示している。この参照例は、図３及び図４に示した第１及び第２の参照例と同様に、燃料電池105 はカメラ本体101 の底面側より収納部に挿入し、蓋部で収納保持するものであるが、残量確認窓107 はカメラ本体101 の側面部に、収納した燃料電池105 の透過部105aに対応させて設けているものである。なお、ここでは収納部と蓋部の図示を省略している。
【００２６】
次に、本発明に関連する第４の参照例について説明する。図６は第４の参照例を示す概略斜視図で、図４に示した第２の参照例と対応する部材には同一符号を付して示している。この参照例は、図５に示した第３の参照例と同様に、残量確認窓107 はカメラ本体101 の側面部に設けるものであるが、特にカメラのグリップされる側の側面部に設けるものである。
【００２７】
このようにカメラのグリップされる側の側面部に残量確認窓107 を設けることにより、カメラ側面を有効に利用して電池残量を容易に確認することができると共に、燃料電池がカメラのグリップ側に配置されるので、重量バランスのよいカメラを構成することができる。
【００２８】
次に、本発明に関連する第５の参照例について説明する。図７は第５の参照例を示す概略斜視図で、図３に示した第１の参照例と対応する部材には同一符号を付して示している。この参照例は、燃料電池105 をカメラ本体101 の側面部より収納部に挿入して蓋部106 で収納保持し、そしてカメラ本体の上面部において、収納部に収納された燃料電池105 の透過部105aに対応する位置に、燃料の残量確認窓107 を設けているものである。なお、この参照例においても、燃料電池の収納部の図示は省略しており、また燃料電池の収納部への収納時における燃料の残量確認時のカメラの姿勢は、燃料電池の収納部の挿入口側を下方に位置させるような姿勢にして行うものである。なお、図３〜図７に示した各参照例では、図１に示した第１の構成例の燃料電池を収納したものを示したが、図２に示した第２の構成例の燃料電池を収納することも可能である。
【００２９】
次に、本発明に関連する第６の参照例について説明する。図８は第６の参照例を示す概略斜視図で、図４に示した第２の参照例と対応する部材には同一符号を付して示している。この参照例では、カメラ本体101 の底面側から、図２に示した第２の構成例の燃料電池110 を収納部に挿入し、蓋106 で保持するようにしたものである。そして、収納部の底部には、収納された燃料電池110 の上部透過窓110aに対向する位置に、燃料残量検出センサの発光部111 が設けられており、また閉じた状態の蓋部106 の裏面の、燃料電池110 の下部透過窓110bに対向する位置に、燃料残量検出センサの受光部112 が設けられている。また、ＴＦＴ液晶表示部108 の一部に、残量検出センサによって検出された燃料残量の検出情報を表示する残量表示部113 が設けられている。なお、この参照例においても、収納部は図示を省略している。
【００３０】
このように構成した第６の参照例においては、燃料電池110 の燃料液の残量の検出・表示は次のようにして行われる。すなわち、残量検出センサの発光部111 から発光が燃料電池110 の上部透過窓110aを介して燃料液面に向かって出射され、そして燃料液110cの残量に対応して変化した透過光を受光部112 で受光し、燃料液110cの残量を検出する。そして、検出された残量検出情報を残量表示部113 に表示するようになっている。
【００３１】
なお、上記第６の参照例においては、残量表示部は撮影画像等を表示するＴＦＴ液晶表示部を兼用して、その一部に残量表示を行うようにしたものを示したが、ＴＦＴ液晶表示部ではなく、モード表示用のモノクロＬＣＤ表示部などを利用して残量表示を行わせることもできる。
【００３２】
次に、本発明に係るカメラの実施例１について説明する。図９は実施例１を示す概略斜視図で、図４に示した第２の参照例と対応する部材には同一符号を付して示している。この実施例は、図１に示した第１の構成例の燃料電池に設けられている透過部及び燃料注入口が、カメラ外部より直接見えないようにして、デザイン上スマートな構成とすると共に、燃料電池を取り外すことなく、燃料液の補給を行えるようにしたものである。
【００３３】
すなわち、燃料電池105 は、カメラ本体101 の底面部より挿入して収納部に収納し、蓋部106 によりカメラ本体内に保持するものであるが、燃料電池105 の透過部105aと燃料注入口105bを設けた筐体部分は、開閉可能なカード蓋115 で保護されるメモリカード格納挿入口116 の隣接部分に、直接表出するように配置され、カード蓋115 を閉じることにより、メモリカード格納挿入口116 と共に燃料電池105 の透過部105a及び燃料注入口105bも、カード蓋115 により同時に覆い隠されるように構成するものである。なお、ここではカード蓋115 により覆われる部分をメモリカード格納部と称することとする。
【００３４】
このように構成することにより、カード蓋115 を開くことにより、メモリカードの着脱処理が行えると共に、燃料電池105 の残量を透過部105aを介して目視確認することができ、また燃料電池105 を収納したまま燃料注入口105bを介して燃料の補給をすることができる。そして、カード蓋115 を閉じることにより、メモリカード格納挿入口116 を保護すると共に、燃料電池105 の透過部105a及び燃料注入口105bを覆い隠し、外観上の見苦しさを軽減することができる。
【００３５】
なお、上記実施例１においては、メモリカード格納部のカード格納挿入口116 に隣接した部分に、電池収納部に収納した燃料電池の透過部及び燃料注入口部分が直接表出するようにした構成のものを示したが、メモリカード格納部のカード格納挿入口116 に隣接した部分には、電池収納部の一部が表出され、表出された収納部に燃料電池の透過部及び燃料注入口に対応して設けた残量確認窓及び注入用開口を介して、燃料液の残量を確認すると共に燃料を補給するように構成することもできる。
【００３６】
次に、本発明の実施例２について説明する。図10は実施例２を示す概略斜視図で、図９に示した実施例１と対応する部材には同一符号を付して示している。この実施例は、燃料電池をカメラ本体内に固定的に内蔵させて、カード蓋を開けることにより内蔵型燃料電池の残量確認と燃料の補給ができるように構成したものである。
【００３７】
燃料電池121 がカメラ本体101 の収納部内に固定的に内蔵されており、透過部121a及び燃料注入口121bは、開閉可能なカード蓋115 で保護されるメモリカード格納挿入口116 の隣接部分に、直接表出するように配置され、カード蓋115 を閉じることにより、メモリカード格納挿入口116 と共に内蔵燃料電池121 の透過部121a及び燃料注入口121bも、カード蓋115 により同時に覆い隠されるように構成するものである。
【００３８】
このように構成することにより、カード蓋115 を開くことにより、メモリカードの着脱処理が行えると共に、燃料電池121 の残量を透過部121aを介して目視確認することができ、また燃料注入口121bを介して内蔵の燃料電池121 への燃料の補給を行うことができる。そして、カード蓋115 を閉じることにより、メモリカード格納挿入口116 を保護すると共に燃料電池121 の透過部121a及び燃料注入口121bを覆い隠し、外観上の見苦しさを軽減することができる。
【００３９】
次に、本発明の実施例３について説明する。図11は実施例３に係るカメラを反転して底面側を上部として配置した状態における概略斜視図である。この実施例は、図10に示した実施例２と同様に、燃料電池をカメラ本体内の収納部に固定的に内蔵させたものであるが、燃料電池121 の透過部121aと燃料の注入口121bをカメラ本体101 の底面側に配置し、これらの透過部121a及び注入口121bを覆い隠すように、本体底面部に開閉可能な電池蓋122 を設けて構成したものである。
【００４０】
このように構成した実施例においては、カメラの操作部が配置されにくい底面側に、内蔵電池の透過部121aと燃料注入口121bとを容易に配置することができると共に、電池蓋122 を開くことにより燃料電池121 の残量を目視確認することができ、また内蔵の燃料電池121 への燃料補給を行うことができる。なお、燃料電池121 の残量確認時には、カメラ本体101 の底面側が側面側となるような姿勢にカメラを位置させて行うものとする。また電池蓋122 を閉じることにより、燃料電池121 の透過部121a及び燃料注入口121bを保護すると共に外観上の見苦しさを軽減することができる。
【００４１】
なお、上記実施例３においては、カメラ内の収納部に燃料電池を固定的に収納内蔵させたものにおいて、カメラ本体の底面側に燃料電池の透過部と燃料注入口とを配置し、これらに対して電池蓋を開閉可能に設けたものを示した。これに対して、図３〜図９に示した各参照例及び実施例１と同様に、電池収納用の蓋部を別個に設けて、燃料電池を収納部に交換可能に収納できるようにして、燃料電池の透過部及び燃料注入口に対応する残量確認窓及び注入用開口を形成した電池収納部をカメラ底面部に位置するように配置し、収納部に設けた残量確認窓及び注入用開口に対して開閉可能な電池蓋を設けるようにしてもよい。
【００４２】
次に、本発明に関連する第７の参照例について説明する。図12は第７の参照例を示す概略斜視図で、図４に示した第２の参照例と対応する部材には同一符号を付して示している。この参照例は、図４に示した第２の参照例と同様に、燃料電池105 はカメラ本体101 の底面側より収納部に挿入して蓋部106 で収納保持し、残量確認窓107 をカメラ本体の背面側に、収納した燃料電池105 の透過部105aに対応させて設けているものであるが、更にカメラ本体101 の側面部に、燃料電池105 の燃料注入口105bに対応させて注入用開口123 を設けているものである。
【００４３】
このように構成することにより、燃料電池105 をカメラ本体101 より取り出さなくても、カメラ外部より燃料電池105 の残量を容易に確認することができると共に、燃料電池105 の燃料を外部より注入用開口123 を介して直接補給することができる。
【００４４】
なお、この参照例では、燃料補給を行う注入用開口部をカメラ本体の側面部に設けたものを示したが、燃料電池のカメラ本体への挿入収納態様に応じカメラ本体の他の外観面にも設けることができ、また燃料電池の形態に応じて残量確認窓と注入用開口は同一面に設けてもよい。更に、図11に示した本発明の実施例３において内蔵型の燃料電池を設けた場合と同様に、残量確認窓及び注入用開口を覆い隠す蓋部を設けることも可能である。
【図面の簡単な説明】
【００４５】
【図１】燃料電池の第１の構成例を示す概略構成図である。
【図２】燃料電池の第２の構成例を示す概略構成図である。
【図３】本発明に係るカメラに関連する第１の参照例を示す概略斜視図である。
【図４】本発明に係るカメラに関連する第２の参照例を示す概略斜視図である。
【図５】本発明に係るカメラに関連する第３の参照例を示す概略斜視図である。
【図６】本発明に係るカメラに関連する第４の参照例を示す概略斜視図である。
【図７】本発明に係るカメラに関連する第５の参照例を示す概略斜視図である。
【図８】本発明に係るカメラに関連する第６の参照例を示す概略斜視図である。
【図９】本発明に係るカメラの実施例１を示す概略斜視図である。
【図１０】本発明に係るカメラの実施例２を示す概略斜視図である。
【図１１】本発明に係るカメラの実施例３を示す概略斜視図である。
【図１２】本発明に係るカメラに関連する第７の参照例を示す概略斜視図である。
【符号の説明】
【００４６】
１  燃料電池筐体
２  燃料液
３  透過部
４，５  端子部
６  燃料注入口
11  燃料電池筐体
12  燃料液充填内蔵部
13  燃料液
14  筐体上部
15  筐体上板
16  筐体下板
17  上部透過窓
18  下部透過窓
19  燃料吸収部材
20，21  端子部
101   カメラ本体
102   レリーズボタン
103   撮影レンズ
104   燃料電池収納部
105   燃料電池
105a  透過部
105b  燃料注入口
106   燃料電池用蓋部
107   残量確認窓
108   ＴＦＴ液晶表示部
109   入力操作部
110   燃料電池
110a  上部透過窓
110b  下部透過窓
111   発光部
112   受光部
113   残量表示部
115   カード蓋
116   メモリカード格納挿入口
121   内蔵型燃料電池
121a  透過部
121b  燃料注入口
122   電池蓋
123   燃料注入用開口
【図１】
2008107833.tif 000003
【図２】
2008107833.tif 000004
【図３】
2008107833.tif 000005
【図４】
2008107833.tif 000006
【図５】
2008107833.tif 000007
【図６】
2008107833.tif 000008
【図７】
2008107833.tif 000009
【図８】
2008107833.tif 000010
【図９】
2008107833.tif 000011
【図１０】
2008107833.tif 000012
【図１１】
2008107833.tif 000013
【図１２】
2008107833.tif 000014